(57)【要約】【課題】簡易な回路によって、省電力の駆動と高画質の駆動とを可能にする。【解決手段】ｎ回（ｎは２以上の整数）の水平ブランキング期間のうち最初の１回は前記データ信号の極性を１回反転させ、残りのｎ−１回のそれぞれにおいては前記データ信号の極性を２回反転させるための極性反転信号を出力し、前記極性反転信号に応じて極性を反転させたデータ信号を出力し、前記データ信号の極性を反転させる際に複数の前記データラインを短絡させ、前記絵素形成部に対して前記データ信号を印加する書込期間において前記走査ラインを選択するとともに、一旦選択された走査ラインが書込期間において再度選択される前に前記短絡のタイミングに同期して前記走査ラインを選択する選択信号を出力する。【選択図】図３
2011141303.tif 000002
【特許請求の範囲】
【請求項１】
複数の走査ラインと、
前記複数の走査ラインに交差する複数のデータラインと、
前記走査ラインと前記データラインとの交差部に対応した複数の絵素形成部であって、前記走査ラインが選択されているときに前記データラインに印加されているデータ信号によって電圧の書込がなされる絵素形成部と、
ｎ回（ｎは２以上の整数）の水平ブランキング期間のうち最初の１回は前記データ信号の極性を１回反転させ、残りのｎ−１回のそれぞれにおいては前記データ信号の極性を２回反転させるための極性反転信号を出力する極性反転信号出力手段と、
前記極性反転信号に応じて極性を反転させたデータ信号を出力するデータ信号出力手段と、
前記データ信号の極性を反転させる際に複数の前記データラインを短絡させるデータライン短絡手段と、
前記絵素形成部に対して前記データ信号を印加する書込期間において前記走査ラインを選択するとともに、一旦選択された走査ラインが書込期間において再度選択される前に前記短絡のタイミングに同期して前記走査ラインを選択する選択信号を出力する選択信号出力手段と、
を備える液晶表示装置。
【請求項２】
前記極性反転信号は、前記データ信号の極性を指示する極性指示信号と当該極性指示信号を参照する参照タイミングを指示する参照指示信号とを含み、
前記データ信号出力手段は、前記参照タイミングにおいて前記極性指示信号による極性の指示が前回の参照タイミングにおける極性の指示と異なる場合に、前記データ信号の極性を反転させる、
請求項１に記載の液晶表示装置。
【請求項３】
前記参照指示信号は、総ての水平ブランキング期間において電圧レベルが２回反転することによって構成される第１パルスと、少なくとも前記ｎ−１回の水平ブランキング期間において前記第１パルスより前に電圧レベルが２回反転することによって構成される第２パルスとからなり、
前記極性指示信号は、前記第２パルスにおける電圧レベルの変動前に電圧レベルが１回反転し、前記第１パルスにおける電圧レベルの変動前に電圧レベルが１回変動する第３パルスと、当該第３パルスより前のタイミングでｎ回の水平走査期間に１回の割合で電圧レベルが変動するエッジとからなる、
請求項２に記載の液晶表示装置。
【請求項４】
前記極性反転信号出力手段は、予め設定されるパルス幅指示データの指示に応じたパルス幅の信号を出力する、
請求項１〜請求項３のいずれかに記載の液晶表示装置。
【請求項５】
前記極性反転信号出力手段はメモリを備え、当該メモリに予め記録された前記パルス幅指示データを参照してパルス幅を調整する、
請求項４に記載の液晶表示装置。
【請求項６】
前記メモリはＥＰＲＯＭである、
請求項５に記載の液晶表示装置。
【請求項７】
前記極性反転信号出力手段は、パルス幅を調整して前記参照指示信号における第２パルスと前記極性指示信号における第３パルスとの出力を停止あるいは実行させることが可能である、
請求項３に記載の液晶表示装置。
【請求項８】
液晶表示装置の外部からの操作に応じて前記第２パルスと第３パルスとの出力を停止あるいは実行させる、
請求項７に記載の液晶表示装置。
【請求項９】
液晶表示装置における複数の絵素形成部に対して、印加するデータ信号の極性を制御して液晶表示装置における表示を制御する表示制御装置であって、
ｎ回（ｎは２以上の整数）の水平ブランキング期間のうち最初の１回は前記データ信号の極性を１回反転させ、残りのｎ−１回のそれぞれにおいては前記データ信号の極性を２回反転させるための極性反転信号を出力する極性反転信号出力手段
を備える表示制御装置。
【請求項１０】
走査ラインが選択されているときにデータラインに印加されているデータ信号によって絵素形成部に対する電圧の書込を行う液晶表示方法であって、
ｎ回（ｎは２以上の整数）の水平ブランキング期間のうち最初の１回は前記データ信号の極性を１回反転させ、残りのｎ−１回のそれぞれにおいては前記データ信号の極性を２回反転させたデータ信号を出力するデータ信号出力工程と、
前記データ信号の極性を反転させる際に複数の前記データラインを短絡させるデータライン短絡工程と、
前記絵素形成部に対して前記データ信号を印加する書込期間において前記走査ラインを選択するとともに、一旦選択された走査ラインが書込期間において再度選択される前に前記短絡のタイミングに同期して前記走査ラインを選択する選択信号を出力する選択信号出力工程と、
を含む液晶表示方法。
【発明の詳細な説明】
【技術分野】
【０００１】
本発明は、連続する２回以上の書込期間においてデータ信号の極性を維持する液晶表示装置、表示制御装置、液晶モジュールおよび液晶表示方法に関する。
【背景技術】
【０００２】
従来、液晶表示装置におけるデータ信号の極性を反転する際に、その極性の反転タイミングに同期して複数のデータラインを短絡させることによって消費電力を抑える技術が知られている（例えば、特許文献１）。また、前記データ信号をデータドライバから出力する構成において、データドライバに対して極性を指示する信号を入力することによってデータ信号の極性を制御する技術が知られている（例えば、特許文献２）。
【０００３】
また、複数のデータラインを短絡させる動作を利用して黒表示に相当する電圧とするチャージシェアインパルスが知られている（例えば、特許文献３）。具体的には、各フレーム期間において少なくとも１回の有効走査期間にて走査信号線を選択状態とし、有効走査期間で選択状態となった後であって、次のフレーム期間における有効走査期間で選択状態となる前に少なくとも１回は黒信号挿入期間を設ける。そして、当該黒信号挿入期間において、走査信号線を選択状態にするとともにデータ信号線を短絡させる。この結果、黒信号挿入期間にて選択状態となった各データ信号線のチャージが平均化され、表示が黒に近づく。このため、当該黒信号挿入期間にて選択状態を繰り返すことによって、１フレーム期間内で各絵素の表示を実質的に黒表示にすることができる。
【特許文献１】特開平９−２４３９９８号公報
【特許文献２】特開２００２−１９６７３１号公報
【特許文献３】国際公開第２００７／０１５３４７号パンフレット
【０００４】
一方、隣接する複数の走査ラインに接続された絵素形成部に対するデータ信号の書込期間中に当該データ信号の極性を維持し、この極性をフレーム毎に反転する駆動（以下、複数ライン反転駆動と呼ぶ）は、走査ライン毎にデータ信号の極性を変動し、かつこの極性をフレーム毎に反転する駆動と比較して極性変動の周波数が低いため、消費電力を抑えることができる。そして、従来の技術（特許文献３）のように、複数のデータラインを短絡することによってインパルス駆動を行うことができる。
【特許文献４】特開平9-15560号公報
【発明の開示】
【発明が解決しようとする課題】
【０００５】
しかし、データ信号の極性変動とデータラインの短絡とを同時に行う構成においては、複数ライン反転駆動を行う際にその極性を維持したまま全走査ラインに均等に上述の短絡を行うことはできず、すべての走査ラインにおいて均等に黒表示に相当する電圧を印加することができない。従って、上述の消費電力の抑制とインパルス駆動とを併用することはできない。
【０００６】
以下、図に即して、複数ライン反転駆動を行う際にその極性を維持したまま全走査ラインに均等に上述の短絡を行うことができない理由を説明する。図１は一般的な液晶表示装置のブロック図である。図１において、１００は表示部であり、表示制御回路２００、データドライバ３００及びゲートドライバ４００によって駆動される。表示部１００は、複数本（ｍ本）の走査ラインＧＬ１〜ＧＬｍと、各走査ラインＧＬ１〜ＧＬｍのそれぞれに交差する複数本（ｎ本）のデータラインＳＬ１〜ＳＬｎと、走査ラインＧＬ１〜ＧＬｍおよびデータラインＳＬ１〜ＳＬｎの交差部に対応して設けられた複数個（ｍ×ｎ個）の絵素形成部を備えている。
【０００７】
これらの絵素形成部は表示部１００においてマトリクス状に配置されており、各絵素形成部においては、走査ラインにゲート端子が接続され、データラインにソース端子が接続されたスイッチング素子であるＴＦＴ１０が形成されている。また、図示していないが、表示部１００は、全ての絵素形成部に共通して設けられた共通電極Ｅｃと、ＴＦＴ１０のドレイン電極に接続され絵素形成部毎に設けられた絵素電極を有している。前記共通電極Ｅｃと絵素形成部毎に設けられた絵素電極とは狭い間隔を介して互いに対向して設けられており、これら対向して設けられた電極の間に液晶層が設けられている。
【０００８】
各絵素形成部における絵素電極には後述のように動作するデータドライバ３００およびゲートドライバ４００により表示すべき画像に応じた電位が与えられ、共通電極Ｅｃには図示しない電源回路から所定電位Ｖｃｏｍが与えられる。これにより、絵素電極と共通電極Ｅｃとの間の電位差に応じた電圧が液晶に印加され、この印加電圧によって液晶層を透過する光の強度が制御され、画像表示が行われる。すなわち、ゲートドライバ４００が出力する選択信号によって走査ラインが選択されているときに、データドライバ３００から出力されるデータ信号がデータラインに印加されることにより、選択された絵素形成部に対する電圧の書込がなされる。
【０００９】
なお、本実施形態においては３色（例えば、ＲＧＢ）のカラーフィルタが各絵素に対応して形成されており、液晶層を透過した光がさらに各色のカラーフィルタを透過するように構成されている。すなわち、上述の印加電圧によって３色のカラーフィルタを透過する光の強度を制御することによって多数の色を表現することが可能であり、上述の３色に対応した絵素の組み合わせによって１個の画素が構成されている。また、本実施形態における表示部１００とデータドライバ３００とゲートドライバ４００とが液晶モジュールを構成し、当該液晶モジュール，表示制御回路（表示制御装置）２００，後述するＩ／Ｆや図示しない回路等によって液晶表示装置が構成される。
【００１０】
図６データ信号の極性変動とデータラインの短絡とを同時に行うためのデータドライバ３００の例を示し、図７，図８は、図６に示すデータドライバに対する入出力信号のタイミングチャートの例を示している。図６に示すデータドライバ３００においては、チャージシェアリングを行うためのチャージシェアリング部３１０とチャージシェアリングを行うタイミングを制御するためのタイミング制御部３２０とを備えている。チャージシェアリング部３１０は、データ信号の電圧レベルを特定するためのデジタル画像信号ＤＡに基づき生成されたアナログ電圧信号ｄ（１）〜ｄ（ｎ）を受け取るｎ個の出力バッファ３１を備えている。これらの出力バッファ３１は、これらのアナログ電圧信号ｄ（１）〜ｄ（ｎ）をインピーダンス変換することによってデータ信号Ｓ（１）〜Ｓ（ｎ）を生成するための電圧ホロワとして機能する。
【００１１】
各バッファ３１の出力端子にはスイッチング素子としての第１のＭＯＳトランジスタＳＷａが接続され、各バッファ３１からのデータ信号Ｓ（ｉ）は第１のＭＯＳトランジスタＳＷａを介してデータドライバ３００の出力端子から出力される。また、データドライバ３００の隣接する出力端子間は、スイッチング素子としての第２のＭＯＳトランジスタＳＷｂによって接続されている（これにより複数のデータラインが第２のＭＯＳトランジスタＳＷｂによって接続されることになる）。
【００１２】
そして、これらの出力端子間における第２のＭＯＳトランジスタＳＷｂのゲート端子には、チャージシェア制御信号Ｃｓｈが与えられ、各バッファ３１の出力端子に接続された第１のＭＯＳトランジスタＳＷａのゲート端子には、インバータ３３の出力信号すなわちチャージシェア制御信号Ｃｓｈの反転信号が与えられる。従って、チャージシェア制御信号Ｃｓｈが非アクティブ（ローレベル）のときには、第１のＭＯＳトランジスタＳＷａがオンし（導通状態となり）、第２のＭＯＳトランジスタＳＷｂがオフする（遮断状態となる）。このため、各バッファ３１からのデータ信号Ｓ（ｉ）は、第１のＭＯＳトランジスタＳＷａを介してデータドライバ３００から出力される。なお、データ信号Ｓ（１）〜Ｓ（ｎ）のデータラインＳＬ１〜ＳＬｎは液晶表示装置における各絵素の絵素電極に接続される。
【００１３】
チャージシェア制御信号Ｃｓｈがアクティブ（ハイレベル）のときには、第１のＭＯＳトランジスタＳＷａがオフし（遮断状態となり）、第２のＭＯＳトランジスタＳＷｂがオンする（導通状態となる）。このため、各バッファ３１からのデータ信号は出力されず（すなわちデータ信号Ｓ（１）〜Ｓ（ｎ）のデータラインＳＬ１〜ＳＬｎへの印加は遮断され）、複数のデータラインが第２のＭＯＳトランジスタＳＷｂを介して短絡される。この結果、複数のデータラインＳＬ１〜ＳＬｎを介して絵素電極が短絡し、各絵素電極の電圧が平均化される。
【００１４】
一方、タイミング制御部３２０は、Ｄフリップフロップ３４，３５とＥＸＯＲ回路３６とＡＮＤ回路３７とを備えている。タイミング制御部３２０は、データ信号の極性を指示する極性指示信号ＲＥＶと当該極性指示信号による極性の指示を参照するタイミングを指示する参照指示信号ＬＳとに基づいてチャージシェア制御信号Ｃｓｈを生成するように構成されており、参照指示信号ＬＳがＤフリップフロップ３４のクロック入力端子ＣＬＫとＤフリップフロップ３５のクロック入力端子ＣＬＫとＡＮＤ回路３７の一方の入力端子に入力される。
【００１５】
また、極性指示信号ＲＥＶはＤフリップフロップ３４の入力端子Ｄに入力され、Ｄフリップフロップ３４における出力端子Ｑの出力はＥＸＯＲ回路３６の一方の入力端子およびＤフリップフロップ３５の入力端子Ｄに対して入力される。さらに、Ｄフリップフロップ３５における出力端子Ｑの出力はＥＸＯＲ回路３６の他方の入力端子に入力され、ＥＸＯＲ回路３６の出力はＡＮＤ回路３７の他方の入力端子に入力される。ＡＮＤ回路３７の出力は、上述のチャージシェア制御信号Ｃｓｈである。
【００１６】
以上の構成により、Ｄフリップフロップ３４は参照指示信号ＬＳの立ち上がりタイミングで極性指示信号ＲＥＶを参照し、当該立ち上がりタイミングにおける極性指示信号ＲＥＶの電圧レベルと同じ電圧レベルの出力信号ＲＥＶ１Ｄを出力することになる。また、Ｄフリップフロップ３５は参照指示信号ＬＳの立ち上がりタイミングで出力信号ＲＥＶ１Ｄを参照し、当該立ち上がりタイミングにおける出力信号ＲＥＶ１Ｄの電圧レベルと同じ電圧レベルの出力信号ＲＥＶ２Ｄを出力することになる。
【００１７】
また、ＥＸＯＲ回路３６には出力信号ＲＥＶ１Ｄと出力信号ＲＥＶ２Ｄとが入力されるので、ＥＸＯＲ回路３６からはこれらの信号が一致しているときにローレベル、一致していないときにハイレベルの信号が出力され、ＡＮＤ回路３７に入力される。従って、出力信号ＲＥＶ１Ｄと出力信号ＲＥＶ２Ｄとが一致している場合には参照指示信号ＬＳがＡＮＤ回路３７を通過し、出力信号ＲＥＶ１Ｄと出力信号ＲＥＶ２Ｄとが一致していない場合には参照指示信号ＬＳがＡＮＤ回路３７を通過しない。
【００１８】
以上のようにタイミング制御部３２０は、極性指示信号ＲＥＶと参照指示信号ＬＳとによって生成したＥＸＯＲ出力に基づいて参照指示信号ＬＳを適宜選択し、特定のタイミングにおける参照指示信号ＬＳを上述のチャージシェア制御信号Ｃｓｈとする。以上の構成は、データ信号Ｓ（ｉ）の極性が反転しないときにはチャージシェアリングを行わず、データ信号Ｓ（ｉ）の極性が反転するタイミングでのみチャージシェアリングを行うために構成された回路である。
【００１９】
図７は、以上のデータドライバ３００を利用して、２回連続した書込期間の間の水平ブランキング期間において極性を変動させないようにデータ信号Ｓ（ｉ）を制御する際の、各種信号のタイミングチャートである。図７に示す例において、極性指示信号ＲＥＶは２回の水平走査期間に１回の割合で極性の反転する信号である。また、参照指示信号ＬＳは水平ブランキング期間内に２回反転するパルスＰ１から構成され、図７に示すように１水平走査期間の周期に同期した周期でパルスＰ１が現れる信号となる。なお、図７においては、水平ブランキング期間をＢＬ，書込期間をＷＲとして示しており、同図７に示すように１水平走査期間は１回の水平ブランキング期間と１回の書込期間とによって構成される。
【００２０】
これらの極性指示信号ＲＥＶと参照指示信号ＬＳとがデータドライバ３００に入力されると、タイミング制御部３２０のＤフリップフロップ３４は、参照指示信号ＬＳの立ち上がりに同期したタイミングで極性指示信号ＲＥＶを参照する。従って、Ｄフリップフロップ３４の出力信号ＲＥＶ１Ｄは、極性指示信号ＲＥＶを参照指示信号ＬＳの立ち上がりタイミングまで遅延させた信号となる。Ｄフリップフロップ３５は、参照指示信号ＬＳの立ち上がりに同期したタイミングで出力信号ＲＥＶ１Ｄを参照するので、Ｄフリップフロップ３５の出力信号ＲＥＶ２Ｄは出力信号ＲＥＶ１Ｄより１水平走査期間だけ遅延させた信号となる。
【００２１】
以上の結果、出力信号ＲＥＶ１Ｄと出力信号ＲＥＶ２Ｄは、２水平走査期間に同期した周期で極性が反転するとともに、極性反転のタイミングが互いに１水平走査期間だけずれた信号となる。従って、両者の電圧レベルが一致するタイミングは２水平走査期間毎に１回現れ、ＥＸＯＲ回路３６の出力は図７に示すように１水平走査期間毎に極性が反転する信号となる。また、ＡＮＤ回路３７の出力であるチャージシェア制御信号ＣｓｈはＥＸＯＲ回路３６の出力信号と参照指示信号ＬＳとのＡＮＤであるため、図７に示すように、２水平走査期間に１回の割合で参照指示信号ＬＳを通過させた信号となる。
【００２２】
一方、データドライバ３００では、図示しない回路によって、出力信号ＲＥＶ１Ｄが示す極性となるように電圧レベルを制御したアナログ信号ｄ（ｉ）を、デジタル画像信号ＤＡに基づいて生成する。また、上記のように、チャージシェア制御信号Ｃｓｈがローレベル（Ｌレベル）のときには各アナログ電圧信号ｄ（ｉ）がデータ信号Ｓ（ｉ）として出力され、チャージシェア制御信号Ｃｓｈがハイレベル（Ｈレベル）のときには、データ信号Ｓ（１）〜Ｓ（ｎ）のデータラインＳＬ１〜ＳＬｎへの印加が遮断されるとともに複数のデータラインが短絡される。
【００２３】
当該チャージシェア制御信号Ｃｓｈの発生タイミングは、図７に示すように出力信号ＲＥＶ１Ｄにおける極性の変化タイミングに同期しており、上述のアナログ電圧信号ｄ（ｉ）における極性の変化タイミングも出力信号ＲＥＶ１Ｄにおける極性の変化タイミングに同期している。従って、上述のチャージシェアリングは出力信号ＲＥＶ１Ｄにおける極性の変化タイミングに同期し、２回のブランキング期間に１回の割合で行われる。
【００２４】
このチャージシェアリングにおいては、複数のデータラインに接続された同じ走査ライン上の絵素電極の電圧を平均化するので、絵素電極に印加された電圧は黒表示に相当する電圧（以下、単に「黒電圧」ともいう）に近づくが、このように電圧を変化させるときに電力を消費しない。従って、このようなチャージシェアリングによれば、極性反転時の消費電力を低減することができる。なお、このようにデータ信号Ｓ（ｉ）の極性反転時に隣接データラインを短絡することで各データラインの電圧を黒電圧に等しくしてから逆極性の信号を印加するという構成は、消費電力を低減するための手段として従来提案されており（例えば、特許文献１）、図６に示した構成に限定されるものではない。
【００２５】
以上のようなチャージシェアリングは、上述のような消費電力の低減の他、絵素電極に印加された電圧を黒電圧に近づけるためのインパルス駆動に利用することが可能である。すなわち、チャージシェアリング時におけるデータライン電圧は黒電圧であるため、絵素電極に対してデータ信号Ｓ（ｉ）が印加された後、１フレーム期間が経過する以前において、水平ブランキング期間内でこの絵素電極に対するチャージシェアリングを行うと、複数の絵素電極に印加された電圧が平均化される。従って、このようなチャージシェアリングを行うと、一旦絵素電極に対してデータ信号Ｓ（ｉ）が書き込まれた後、１フレーム期間が経過する前に、この絵素電極に印加された電圧を黒電圧に合わせることができる。このため、絵素電極に印加された書込電圧を１フレーム期間が経過する前に解放するインパルス駆動を行うことができ、液晶表示装置における残像の発生を防止するなど、画質を向上することができる。
【００２６】
このインパルス駆動は、図１に示すゲートドライバ４００にて選択信号の出力タイミングが調整されることによって実現されるが、図６に示すデータドライバ３００においては、タイミング制御部３２０によってデータ信号Ｓ（ｉ）の極性が反転するタイミングでのみチャージシェアリングを行う仕様になっており、この仕様を採用したことに起因して、インパルス駆動が適切に機能しなくなる。
【００２７】
具体的には、ゲートドライバ４００は、ゲートスタートパルス信号ＧＳＰおよびゲートクロック信号ＧＣＫと、ゲートドライバ出力制御信号ＧＯＥｒ（ｒ＝１，２，…，ｑ）とに基づき、各データ信号Ｓ（１）〜Ｓ（ｎ）を各絵素形成部の絵素電極に印加するために、デジタル画像信号ＤＡの各フレーム期間（各垂直走査期間）において走査ラインＧＬ１〜ＧＬｍを１書込期間毎に順次選択する。また、インパルス駆動のために、書込期間において走査ラインを選択してから所定期間が経過した後の水平ブランキング期間においてその走査ラインを複数回選択する。すなわち、一旦選択された走査ラインが書込期間において再度選択される前の水平ブランキング期間において走査ラインを複数回選択する。
【００２８】
すなわち、ゲートドライバ４００は、走査ラインＧＬｊ（ｊ＝１，２，…，ｍ）に対して図７に示す選択信号Ｇ（ｊ）を出力するように構成されており、データ信号を書き込むための選択パルスＰｗとインパルス駆動のための選択パルスＰｂとを走査ラインＧＬｊに対して印加する。選択パルスＰｗが印加されている走査ラインＧＬｊにおいては絵素形成部が選択状態となり、選択状態の走査ラインＧＬｊに接続されたＴＦＴ１０がオン状態となる（非選択状態の走査ラインに接続されたＴＦＴ１０はオフ状態となる）。また、選択パルスＰｗは１水平走査期間のうち書込期間ではハイレベルになるので、当該書込期間において、選択パルスＰｗによって選択された走査ラインの絵素形成部に対してデータ信号Ｓ（ｉ）が印加される。
【００２９】
一方、インパルス駆動は、特許文献３に開示されているように、１フレーム期間（１Ｖ）内で選択パルスＰｗの立ち上がりから所定期間（例えば２／３Ｖ）経過後の水平ブランキング期間内に、参照指示信号ＬＳに同期したタイミングで複数回連続して実施すべきである。すなわち、走査ラインＧＬ１〜ＧＬｍは１水平走査期間を単位とした周期で選択ラインを隣接ラインに切り替えるようにして順次選択されるので、総ての走査ラインにおいて、選択パルスＰｗの立ち上がりから一定の期間が経過したときに選択パルスＰｂの発生を開始し、参照指示信号ＬＳに同期したタイミングで複数回連続して選択パルスＰｂを発生させるべきである。例えば、特許文献３の図３に示すように、参照信号に同期したタイミングで３回連続して選択パルスＰｂを発生させるとその後に絵素電極の電圧が黒電圧になる。
【００３０】
ところが、データドライバ３００を利用しながら２回の書込期間に１回の割合でデータ信号Ｓ（ｉ）の極性を反転させる構成においては、選択パルスＰｂとデータ信号Ｓ（ｉ）の極性反転とが２回の書込期間に１回の割合でしか同期しない。従って、参照指示信号ＬＳに同期したタイミングで複数回連続して選択パルスＰｂを発生させたとしても、その一部の選択パルスＰｂでしかチャージシェアリングを実施することができない。例えば、図７に示す例において、走査ラインＧＬｊに印加される３個の選択パルスＰｂは２個目の選択パルスＰｂしかデータ信号Ｓ（ｉ）の極性反転と同期しない。従って、当該２個目の選択パルスＰｂの発生タイミングでのみチャージシェアリングが行われ、絵素電極の電圧（図７に示すＬ（ｉ，ｊ））は黒電圧に達しない。
【００３１】
また、２水平走査期間毎に選択パルスＰｂを発生させる構成を採用すれば、選択パルスＰｂとデータ信号Ｓ（ｉ）の極性反転タイミングとが一致しているので、総ての選択パルスＰｂに同期してチャージシェアリングを実施することが可能である。しかし、データ信号Ｓ（ｉ）の極性反転タイミングは２水平走査期間毎に１回の割合でしか現れないので、隣接する走査ラインにおいて選択パルスＰｗの立ち上がりから最初の選択パルスＰｂまでの所定期間（図７に示す例では２／３Ｖ）を一定にすることはできない。
【００３２】
例えば、ある走査ラインにおいて当該所定期間を２／３Ｖとしたとき、隣接する走査ラインにおいては当該所定期間が２／３Ｖ−１Ｈあるいは２／３Ｖ＋１Ｈとなってしまう。従って、総ての走査ラインにおいて当該所定期間を一定にすることはできない。また、インパルス駆動を開始するタイミングが２走査ライン毎に変化してしまう。このため、液晶表示装置の表示部１００において一様にインパルス駆動を実施することができず、画質向上効果が低減してしまう。
【００３３】
いずれにしても、図３に示すデータドライバ３００に含まれるタイミング制御部３２０は、上述のようにデータ信号Ｓ（ｉ）の極性反転時に隣接データラインを短絡するため、消費電力を抑えることはできるものの、インパルス駆動を適切に機能させることはできない。
【００３４】
なお、上述の例においては２回の書込期間に１回の割合でデータ信号の極性を反転させる駆動方式であったが、極性の反転周期は２水平走査期間（すなわち、複数ライン反転駆動）以上であればよい。例えば、書込期間におけるデータ信号の極性を３水平走査期間に１回の割合で反転させる構成においてもタイミング制御部３２０を利用したデータドライバ３００において上述の問題と同様の不都合が生じる。
【００３５】
図８は、３水平走査期間に１回の割合で極性を反転する極性指示信号ＲＥＶと１水平走査期間に１回の割合で水平ブランキング期間に参照指示信号ＬＳを発生させる信号をタイミング制御部３２０に入力した場合のタイミングチャートを示している。この例において、極性指示信号ＲＥＶをＤフリップフロップ３４に入力することによって、３水平走査期間に１回の割合で極性が変化する出力信号ＲＥＶ１Ｄが生成され、Ｄフリップフロップ３５により、出力信号ＲＥＶ１Ｄを遅延させた出力信号ＲＥＶ２Ｄが生成される。
【００３６】
出力信号ＲＥＶ１Ｄと出力信号ＲＥＶ２Ｄとは３水平走査期間のうち、最初の１水平走査期間で電圧レベルが不一致となるため、当該最初の１水平走査期間でＥＸＯＲ回路３６の出力がハイレベルとなり、ＡＮＤ回路３７はこのタイミングにおいて参照指示信号ＬＳを通過させてチャージシェア制御信号Ｃｓｈを出力する。従って、データ信号Ｓ（ｉ）は３水平走査期間に１回の割合で極性が反転するとともにこの極性反転タイミングにおいてチャージシェアリングがなされることになる。このような駆動においては、３水平走査期間だけデータ信号Ｓ（ｉ）の極性が維持されるため、省電力の駆動が可能である。しかし、図８に示すように選択パルスＰｂによって適正に黒電圧が絵素電極に印加されず、適正にインパルス駆動を行わせることができない。
本発明は、上記課題にかんがみてなされたもので、簡易な回路によって、複数ライン反転駆動において適正なインパルス駆動を実施可能にし、また、複数ライン反転駆動においてインパルス駆動を行わずに消費電力を抑える駆動を選択可能にすることを目的とする。
【課題を解決するための手段】
【００３７】
上記の目的の少なくとも一つを達成するため、複数の走査ラインと、前記複数の走査ラインに交差する複数のデータラインと、前記走査ラインと前記データラインとの交差部に対応した複数の絵素形成部であって、前記走査ラインが選択されているときに前記データラインに印加されているデータ信号によって電圧の書込がなされる絵素形成部と、ｎ回（ｎは２以上の整数）の水平ブランキング期間のうち最初の１回は前記データ信号の極性を１回反転させ、残りのｎ−１回のそれぞれにおいては前記データ信号の極性を２回反転させるための極性反転信号を出力する極性反転信号出力手段と、前記極性反転信号に応じて極性を反転させたデータ信号を出力するデータ信号出力手段と、前記データ信号の極性を反転させる際に複数の前記データラインを短絡させるデータライン短絡手段と、前記絵素形成部に対して前記データ信号を印加する書込期間において前記走査ラインを選択するとともに、一旦選択された走査ラインが書込期間において再度選択される前に前記短絡のタイミングに同期して前記走査ラインを選択する選択信号を出力する選択信号出力手段と、
を備える構成とした。
【００３８】
さらに、極性反転信号は、前記データ信号の極性を指示する極性指示信号と当該極性指示信号を参照する参照タイミングを指示する参照指示信号とを含み、データ信号出力手段は、参照タイミングにおいて極性指示信号による極性の指示が前回の参照タイミングにおける極性の指示と異なる場合に、データ信号の極性を反転させる構成としても良い。
【００３９】
さらに、参照指示信号は、総ての水平ブランキング期間において電圧レベルが２回反転することによって構成される第１パルスと、少なくともｎ−１回の水平ブランキング期間において第１パルスより前に電圧レベルが２回反転することによって構成される第２パルスとからなり、極性指示信号は、第２パルスにおける電圧レベルの変動前に電圧レベルが１回反転し、第１パルスにおける電圧レベルの変動前に電圧レベルが１回変動する第３パルスと、当該第３パルスより前のタイミングでｎ回の水平走査期間に１回の割合で電圧レベルが変動するエッジとからなる構成としてもよい。
【００４０】
さらに、極性反転信号出力手段が、予め設定されるパルス幅指示データの指示に応じたパルス幅の信号を出力する構成としても良い。この構成によれば、極めて容易にデータ信号の極性および短絡タイミングを所望のものに調整することができる。
【００４１】
さらに、極性反転信号出力手段において、メモリに予め記録された前記パルス幅指示データを参照してパルス幅を調整する構成を採用しても良い。この構成によれば、メモリに記録するパルス幅指示データを変更するのみで本発明における短絡のタイミングや極性の制御を行うことが可能であり、極めて容易に短絡のタイミングや極性の制御を行うことができる。
【００４２】
さらに、このメモリをＥＰＲＯＭによって構成することにより、工場の出荷段階やユーザによる利用開始後のようなあらゆる段階で容易に設定を変更することが可能になる。
【００４３】
さらに、参照指示信号における第２パルスと極性指示信号における第３パルスとの出力を停止あるいは実行させることができるように極性反転信号出力手段を構成してもよい。この構成によれば、インパルス駆動を行わない複数ライン反転駆動とインパルス駆動を行う複数ライン反転駆動とを選択することが可能になる。
【００４４】
さらに、液晶表示装置の外部からの操作によってパルスの出力の停止あるいは実行を設定するように構成すれば、液晶表示装置の完成後であっても容易に上述の設定を選択することが可能である。
【００４５】
さらに、本発明のように極性指示信号と参照指示信号とによってデータ信号の極性と短絡のタイミングとを制御する手法は、液晶表示方法としても実現可能である。また、以上のような液晶表示装置、方法は、液晶表示装置として実現される場合もあれば、その構成要素、例えば、極性指示信号と参照指示信号とを出力する表示制御装置やこの表示制御装置を備えた液晶モジュールとして実現しても良い。
【発明の効果】
【００４６】
このため、データ信号の極性変動の際に短絡を行う仕様となっている場合であっても、連続するｎ回の書込期間においてその極性を維持する駆動を行いながら、さらに、総ての水平ブランキング期間において上述の短絡を行うことが可能である。従って、選択信号によってこの短絡のタイミングに同期して走査ラインを選択することで所望のタイミングで短絡を実施することが可能になり、複数ライン反転駆動においてインパルス駆動を実施することが可能になる。この結果、高画質での画像表示を行うことが可能になる。
【００４７】
一方、複数ライン反転駆動は、消費電力の低減のために採用される駆動法であるが、上述のように複数ライン反転駆動を行いながらｎ−１回の水平ブランキング期間においても極性を反転させると、当該反転の際に電力消費が増加してしまう。そこで、本発明においては、ｎ−１回の水平ブランキング期間のそれぞれにおいてデータ信号の極性を２回反転させる状態を無効にするように切り替えを実施できるように構成した。当該データ信号の極性を２回反転させる状態を無効にすれば、ｎ回の水平ブランキング期間に１回の割合でデータ信号の極性を変動させる構成となるため、複数ライン反転駆動においてインパルス駆動を行わない構成とすることができ、無駄な電力消費を抑えた状態で駆動を行うことができる。
【００４８】
結局、以上の構成によれば、簡易な回路によって、複数ライン反転駆動において適正なインパルス駆動（黒表示に相当する適切な電圧を印加可能な駆動）を実施可能にし、また、複数ライン反転駆動においてインパルス駆動を行わずに消費電力を抑える駆動を選択することが可能である。
【発明を実施するための最良の形態】
【００４９】
本発明においては、ソースドライバやゲートドライバは汎用的な回路構成としながら、当該ソースドライバやゲートドライバを制御する表示制御回路において簡易な調整（パルス幅指示データによる調整）を行うのみで、複数ライン反転駆動において適正なインパルス駆動を行うモードと省電力駆動を行うモードとを選択できる構成とした。
【００５０】
具体的には、本発明においては、複数の絵素形成部に対して印加するデータ信号の極性を制御して液晶表示装置における表示を制御する構成において、ｎ回（ｎは２以上の整数）の水平ブランキング期間のうち最初の１回は前記データ信号の極性を１回反転させ、残りのｎ−１回のそれぞれにおいては前記データ信号の極性を２回反転させるように、極性反転信号を出力する構成とした。すなわち、本発明においては、データドライバにて、極性反転信号に応じて極性を反転させたデータ信号を出力する構成を前提としており、この構成において、極性反転信号がｎ回の水平ブランキング期間のうち最初の１回においてデータ信号の極性を１回反転させる信号となるように構成することにより、データ信号出力手段は、ｎ回の水平ブランキング期間に１回の割合でデータ信号の極性を変動させることができる。
【００５１】
さらに、極性反転信号は、残りのｎ−１回のそれぞれにおいてデータ信号の極性を２回反転させる信号でもあるため、データドライバは、当該ｎ−１回の水平ブランキング期間において極性を２回反転させる。従って、データ信号においては、ｎ回の水平ブランキング期間に１回の割合で極性が変動することに加え、前記ｎ−１回の水平ブランキング期間においても極性が強制的に２回反転する。このため、データ信号においては、連続するｎ回の書込期間においてその極性を維持するものの、その書込期間の間の水平ブランキング期間において極性が２回変動する信号となる。
【００５２】
＜実施形態１＞
本実施形態における液晶表示装置は、図１とほぼ同様な構成を備えている。すなわち、表示部１００とデータドライバ３００とゲートドライバ４００とが液晶モジュールを構成し、当該液晶モジュール，表示制御回路（表示制御装置）２００，後述するＩ／Ｆや図示しない回路等によって液晶表示装置が構成される。但し、データドライバ３００は図６に示すカイロと同様の回路を備え、表示制御回路２００においては本発明特有の構成を備えている。
【００５３】
図２は、表示制御回路２００を示す図である。表示制御回路２００は、データドライバ３００やゲートドライバ４００に入力する信号を生成する回路であり、各ドライバに対して入力する信号を適宜調整することによって液晶表示装置における表示内容を制御する。本実施形態においては、リモコン２１０による操作内容を受け付けることによって表示制御回路２００における制御動作を切り替えることが可能である。
【００５４】
表示制御回路２００においては、参照すべきパルス幅指示データをリモコン２１０によって指示するように構成されている。すなわち、リモコン２１０は図示しない赤外線信号出力部を備えており、液晶表示装置は当該赤外線信号出力部が出力する赤外線信号を取得するインタフェース（図２に示すＩ／Ｆ２２０）を備えている。リモコン２１０においては、表示制御回路２００が参照すべきパルス幅指示データを切り替えるためのボタンが設けられており、このボタンの押込操作がなされるとリモコン２１０から、表示制御回路２００にて参照すべきパルス幅指示データを切り替える指示を含む赤外線信号が出力される。Ｉ／Ｆ２２０にて当該赤外線信号を取得すると、表示制御回路２００はこの指示に応じて参照すべきパルス幅指示データを切り替える。この結果、複数ライン反転駆動において適正なインパルス駆動（黒表示に相当する適切な電圧を印加可能な駆動）を実施するモードと、複数ライン反転駆動においてインパルス駆動を行わずに消費電力を抑えるモードとを選択することができる。
【００５５】
以下、図１および図２を参照して表示制御回路２００の機能を説明する。表示制御回路２００には、外部の信号源から各種の信号が入力され、表示制御回路２００は、データ信号の極性を指示する極性指示信号ＲＥＶと当該極性指示信号による極性の指示を参照するタイミングを指示する参照指示信号ＬＳとを生成してデータドライバ３００に対して出力する。
【００５６】
本実施形態において、表示制御回路２００は予め記録されたパルス幅指示データに基づいてパルス幅（電圧変動のタイミング）を調整するように構成されている。すなわち、表示制御回路２００は図２に示すようにメモリ２００ａ（例えば、ＥＰＲＯＭ）を備えており、メモリ２００ａには表示制御回路２００から出力するパルスの幅を特定するパルス幅指示データが記録されている。
【００５７】
表示制御回路２００は、上述のクロック信号ＣＬＫのパルス数を所定の時間間隔内でカウントすることによって各出力信号のパルス幅を調整するように構成されており、図２においては、参照指示信号ＬＳと極性指示信号ＲＥＶとを例示するとともにクロック信号ＣＬＫ，水平同期信号ＨＳＹと、極性指示信号ＲＥＶ，参照指示信号ＬＳの拡大図によってパルス幅調整を例示している。本実施形態において、参照指示信号ＬＳと極性指示信号ＲＥＶとのパルス幅指示データは、１水平走査期間（図２に示す１Ｈ）でカウントすべきクロック信号ＣＬＫのパルス数を示しており、図２に示す例では、参照指示信号ＬＳについてクロック信号ＣＬＫのパルス数がα，β，γ，δ、極性指示信号ＲＥＶについてクロック信号ＣＬＫのパルス数がａ，ｂとなっている（０＜ａ＜α＜β＜ｂ＜γ＜δ）。本実施形態において、表示制御回路２００は、クロック信号ＣＬＫをカウントし、そのカウント数がα個であるときに参照指示信号ＬＳの極性をＬからＨ，β個であるときにＨからＬ，γ個であるときにＬからＨ，δ個であるときにＬからＨに反転させる。また、表示制御回路２００は、クロック信号ＣＬＫをカウントし、そのカウント数がａ個であるときに極性指示信号ＲＥＶの極性をＬからＨ（あるいはＨからＬ），ｂ個であるときにＨからＬ（あるいはＬからＨ）に反転させる。
【００５８】
このとき、表示制御回路２００は、上述の水平同期信号ＨＳＹの周期に基づいて１水平走査期間を特定し、当該１水平走査期間の最初からクロック信号ＣＬＫのパルス数をカウントする。そして、極性指示信号ＲＥＶについてはカウント数がａ個，ｂ個になったときに信号の電圧レベルを変化させ、カウント開始から１水平走査期間が経過したら再度同じ処理を繰り返す。図２においてはクロック信号ＣＬＫと極性指示信号ＲＥＶの一部を拡大して拡大図Ａに示しており、拡大図Ａに示すように、１水平走査期間の最初からクロック信号ＣＬＫの数をカウントし、その数がａ個に達したらその後のクロック信号ＣＬＫに同期したタイミングで極性指示信号ＲＥＶの極性を反転させる。また、さらにクロック信号ＣＬＫのカウントを続け、その数がｂ個に達したらその後のクロック信号ＣＬＫに同期したタイミングで極性指示信号ＲＥＶの極性を反転させる。この結果、図２の拡大図Ａに示すように、極性指示信号ＲＥＶがパルス状の信号となる。ただし、本実施形態においては、２回の水平走査期間に１回の割合でデータ信号の極性を変動させる駆動方式を採用しており、２回の水平走査期間毎にカウント開始時の電圧レベルの極性を反転させる。この結果、図２に示すように、２回の水平走査期間に１回の割合で電圧レベルの変動が現れる。なお、この電圧レベルの変動をエッジＥと呼び、カウント数ａ，ｂに対応して生成されるパルスを第３パルスＰ３と呼ぶ。また、以上のパルス幅調整は一例であり、例えば、エッジＥをパルス幅指示データによって生成する構成としても良い。
【００５９】
参照指示信号ＬＳについてはクロック信号ＣＬＫのカウント数がα個，β個，γ個，δ個になったときに信号の電圧レベルを変化させ、カウント開始から１水平走査期間が経過したら再度同じ処理を繰り返す。図２においてはクロック信号ＣＬＫと参照指示信号ＬＳの一部を拡大して拡大図Ｂに示しており、拡大図Ｂに示すように、１水平走査期間の最初からクロック信号ＣＬＫの数をカウントし、その数がα個に達したらその後のクロック信号ＣＬＫに同期したタイミングで参照指示信号ＬＳの極性を反転させる。また、さらにクロック信号ＣＬＫのカウントを続け、その数がβ個に達したらその後のクロック信号ＣＬＫに同期したタイミングで参照指示信号ＬＳの極性を反転させる。この結果、図２の拡大図Ａに示すように、参照指示信号ＬＳがパルス状の信号となる。なお、図２に示す例において、カウント数γ，δに対応して生成されるパルスを第１パルスＰ１と呼び、カウント数α，βに対応して生成されるパルスを第２パルスＰ２と呼ぶ。
【００６０】
図２に示す例において、上述のようにリモコン２１０にてパルス幅指示データの切り替えを指示すると、参照指示信号ＬＳに対応したパルス幅指示データに関しては、クロック信号ＣＬＫのパルス数として参照するデータがα，β，γ，δである状態とγ，δである状態とを切り替えることができる。従って、クロック信号ＣＬＫのパルス数としてα，β，γ，δを参照する状態において参照指示信号ＬＳは第２パルスＰ２および第１パルスＰ１から構成され、クロック信号ＣＬＫのパルス数としてγ，δを参照する状態において参照指示信号ＬＳは第１パルスＰ１から構成される（第２パルスＰ２は現れない）。
【００６１】
また、上述のようにリモコン２１０にてパルス幅指示データの切り替えを指示すると、極性指示信号ＲＥＶに対応したパルス幅指示データに関しては、クロック信号ＣＬＫのパルス数としてａ，ｂを参照する状態とクロック信号ＣＬＫのパルス数ａ，ｂを参照しない状態とを切り替えることができる。従って、クロック信号ＣＬＫのパルス数としてａ，ｂを参照する状態において極性指示信号ＲＥＶはエッジＥおよび第３パルスＰ３から構成され、クロック信号ＣＬＫのパルス数としてａ，ｂを参照しない状態において極性指示信号ＲＥＶはエッジＥから構成される（第３パルスＰ３は現れない）。
【００６２】
なお、本実施形態においては、参照指示信号ＬＳに関してクロック信号ＣＬＫのパルス数としてα，β，γ，δを参照し、極性指示信号ＲＥＶに関してクロック信号ＣＬＫのパルス数としてａ，ｂを参照する状態を高画質モードと呼ぶ。また、参照指示信号ＬＳに関してクロック信号ＣＬＫのパルス数としてγ，δを参照し、極性指示信号ＲＥＶに関してクロック信号ＣＬＫのパルス数としてａ，ｂを参照しない状態を省電力モードと呼ぶ。
【００６３】
参照指示信号ＬＳと極性指示信号ＲＥＶとは以上のようにして生成されるが、表示制御回路２００は他の信号（ＤＡ，ＳＳＰ，ＳＣＫ，ＧＣＫ，ＧＳＰ，ＧＯＥ）についてもメモリ２００ａに記録された図示しないパルス幅指示データや信号Ｄｖ，ＨＳＹ，ＶＳＹ，ＣＬＫに基づいて信号を生成し出力する。すなわち、表示制御回路２００には、表示すべき画像を表すデジタルビデオ信号Ｄｖと、当該デジタルビデオ信号Ｄｖに対応する水平同期信号ＨＳＹおよび垂直同期信号ＶＳＹと、パルス幅を制御するためのクロック信号ＣＬＫとが入力される。そして、表示制御回路２００はこれらの信号やパルス幅指示データに基づいて、デジタル画像信号ＤＡ（デジタルビデオ信号Ｄｖに相当する信号）とデータスタートパルス信号ＳＳＰと、データクロック信号ＳＣＫと、ゲートクロック信号ＧＣＫと、ゲートスタートパルス信号ＧＳＰと、ゲートドライバ出力制御信号ＧＯＥとを生成し、出力する。
【００６４】
なお、図１に示すデジタル画像信号ＤＡはデータドライバ３００において、データ信号の電圧レベルを特定するための信号であり、そのデジタル画像信号ＤＡの表す画像の各絵素に対応するパルスからなる信号としてデータクロック信号ＳＣＫを生成し、データスタートパルス信号ＳＳＰは１水平走査期間毎に所定期間だけハイレベル（Ｈレベル）となる信号である。また、ゲートスタートパルス信号ＧＳＰは１フレーム期間（１垂直走査期間）毎に所定期間だけＨレベルとなる信号であり、ゲートクロック信号ＧＣＫは水平同期信号ＨＳＹに同期した信号であり、ゲートドライバ出力制御信号ＧＯＥ（ＧＯＥ１〜ＧＯＥｑ）は走査ラインを選択するための選択信号を出力するタイミングを示す信号である。むろん、以上の構成は一例であり、ゲートスタートパルス信号ＧＳＰがハイレベルになる所定期間がフレーム毎に異なる構成や、ゲートクロック信号ＧＣＫと水平同期信号ＨＳＹとの位相を１ライン毎に変動させる構成を採用するなど、種々の変形が可能である。
【００６５】
図１に示すデータドライバ３００は、デジタル画像信号ＤＡとデータスタートパルス信号ＳＳＰおよびデータクロック信号ＳＣＫとに基づき、デジタル画像信号ＤＡの表す画像を生成するために各絵素に印加すべき電圧に対応したデータ信号Ｓ（１）〜Ｓ（ｎ）を１水平走査期間毎に順次生成し、これらのデータ信号Ｓ（１）〜Ｓ（ｎ）をデータラインＳＬ１〜ＳＬｎにそれぞれ印加する。本実施形態におけるデータドライバ３００は、液晶層への印加電圧の極性が１フレーム期間毎に反転されると共に各フレーム内において２走査ライン毎、かつ１データライン毎にも反転されるようにデータ信号Ｓ（１）〜Ｓ（ｎ）が出力される駆動方式を採用している。
【００６６】
このため、上述の極性指示信号ＲＥＶのエッジＥは、２回の水平走査期間に１回の割合で極性が反転する立ち上がりエッジあるいは立ち下がりエッジとなっており、データドライバ３００は、このエッジＥによって指示される極性に応じてデータラインＳＬ１〜ＳＬｎへ印加するデータ信号Ｓ（ｉ）の極性をデータライン毎に反転させ、かつ、各データラインＳＬｉ（ｉ＝１，２，…，ｎ）に印加するデータ信号Ｓ（ｉ）の極性を２回の書込期間に１回の割合で反転させる。
【００６７】
また、このデータドライバ３００では、消費電力を低減するためにデータ信号Ｓ（１）〜Ｓ（ｎ）の極性反転時に複数のデータラインを短絡させるチャージシェアリング方式が採用されており、本実施形態においては、データ信号Ｓ（ｉ）の極性が反転しないときにはチャージシェアリングを行わず、データ信号Ｓ（ｉ）の極性が反転するタイミングでのみチャージシェアリングを行う仕様となっている。すなわち、データドライバ３００は、上述の図６と同様の回路を備えている。
【００６８】
次に、以上の構成における回路の動作をタイミングチャートに則して説明する。上述の
省電力モードにおけるタイミングチャートは、上述の図７と同様である。一方、高画質モードにおいては、２回連続した書込期間でデータ信号Ｓ（ｉ）による書込極性を維持しながら、タイミング制御部３２０を利用して適切なインパルス駆動を実施することができる。
【００６９】
以下、上述の高画質モードにおける液晶表示装置の駆動を説明する。図３は、当該高画質モードにおける各種信号のタイミングチャートである。この高画質モードにおいて、参照指示信号ＬＳは上述のように第１パルスＰ１と第２パルスＰ２とから構成されるので、図３に示すように１水平走査期間内に第１パルスＰ１と第２パルスＰ２とが現れる信号波形となる。ここで、第１パルスＰ１はパルス幅指示データが示すクロック信号ＣＬＫのパルス数γ，δに応じて総ての水平ブランキング期間において発生するパルスであるので、各水平ブランキング期間において電圧レベルが２回反転するパルスである。また、第２パルスＰ２はパルス幅指示データが示すクロック信号ＣＬＫのパルス数α，βに応じて総ての水平ブランキング期間において発生するパルスであり、α＜β＜γであるため、第１パルスＰ１より前に発生するパルスである。なお、本実施形態において第２パルスは総てのブランキング期間において発生しているが、図５にて後述するように、２回に１回の割合（ｎ回に１回）で発生しないように構成してもよい。従って、第２パルスは少なくともｎ−１回の水平ブランキング期間において電圧レベルが２回反転することによって発生するパルスである。
【００７０】
また、極性指示信号ＲＥＶは上述のように第３パルスＰ３とエッジＥとから構成されるので、図３に示すように２水平走査期間毎に極性の反転するエッジＥの間に第３パルスＰ３が含まれる信号波形となる。なお、図３においては、あるエッジＥの立ち上がり付近から順に第３パルスＰ３に番号を付し、Ｐ３1，Ｐ３2，Ｐ３3，Ｐ３4，，，のように示し、Ｐ３1，Ｐ３3を奇数番目の第３パルス、Ｐ３2，Ｐ３4を偶数番目の第３パルスとも呼ぶ。また、上述のように、パルス幅指示データが示すクロック信号ＣＬＫのパルス数がａ＜α＜β＜ｂに設定されているため、第２パルスＰ２の立ち上がりは第３パルスの立ち上がりより後であり、第１パルスの立ち上がりは第３パルスの立ち下がりより後である。
【００７１】
従って、第３パルスＰ３は、第２パルスＰ２における電圧レベルの変動前に電圧レベルが１回反転し、前記第１パルスにおける電圧レベルの変動前に電圧レベルが１回反転するパルスである。さらに、エッジＥは、上述のように２回の水平走査期間に１回の割合でクロック信号ＣＬＫのカウント値が０のときに現れる電圧レベルの変動であり、クロック信号ＣＬＫのパルス数が０＜ａに設定されているため、当該エッジＥは第３パルスＰ３より前のタイミングで２回の水平走査期間に１回の割合で発生する電圧レベルの変動である。以上の構成により、奇数番目の第３パルスの直前にはエッジＥの立ち上がりあるいは立ち下がりが存在し、偶数番目の第３パルスの直前にはエッジの立ち上がりあるいは立ち下がりは存在しない状態となる。なお、第３パルスＰ２は第２パルスＰ２に対応して発生すればよく、この意味では、第３パルスＰ３は第２パルスＰ２と同様に、少なくともｎ−１回の水平ブランキング期間において電圧レベルが２回反転することによって発生するパルスであればよい。
【００７２】
これらの極性指示信号ＲＥＶと参照指示信号ＬＳとがデータドライバ３００に入力されると、タイミング制御部３２０のＤフリップフロップ３４は、参照指示信号ＬＳの立ち上がりに同期したタイミングで極性指示信号ＲＥＶを参照する。図３に示すように、極性指示信号ＲＥＶにおける奇数番目の第３パルスの立ち上がり後の電圧レベルは、その直前のエッジＥによる電圧変動前のレベルと同じである。また、図３に示すように、極性指示信号ＲＥＶにおける偶数番目の第３パルスの直前にエッジＥは存在しない。従って、Ｄフリップフロップ３４が第２パルスＰ２の立ち上がりに応じて奇数番目の第３パルスの電圧レベルを参照したとき（例えば、図３に示すタイミングｔ1）には、Ｄフリップフロップ３４の出力信号ＲＥＶ１Ｄにおいて電圧レベルが変化せず、Ｄフリップフロップ３４が第２パルスＰ２の立ち上がりに応じて偶数番目の第３パルスの電圧レベルを参照したとき（例えば、図３に示すタイミングｔ2）には、Ｄフリップフロップ３４の出力信号ＲＥＶ１Ｄにおいて電圧レベルが変化する。
【００７３】
また、Ｄフリップフロップ３４が第１パルスＰ１の立ち上がりに応じてエッジＥの電圧レベルを参照（例えば、図３に示すタイミングｔ2，ｔ4）すると、Ｄフリップフロップ３４の出力信号ＲＥＶ１Ｄにおいて電圧レベルが変化する。従って、高画質モードにおける出力信号ＲＥＶ１Ｄは、図７に示す出力信号ＲＥＶ１Ｄと比較して、２水平走査期間に一回の割合でパルス（図３に示すタイミングｔ2，ｔ4の間のパルスＰ５）が挿入された波形となる。以上のように、第２パルスＰ２と第１パルスＰ１との立ち上がりに応じて極性指示信号ＲＥＶを参照することにより、出力信号ＲＥＶ１Ｄにおいては奇数番目の第３パルスが存在する水平ブランキング期間で極性が１回反転し、偶数番目の第３パルスが存在する水平ブランキング期間で極性が２回反転する。すなわち、参照指示信号ＬＳにおけるある立ち上がりが示す参照タイミングにおける極性指示信号ＲＥＶの極性指示と、前回の参照指示信号ＬＳの立ち上がりが示す参照タイミングにおける極性指示信号ＲＥＶの極性指示とが異なっている場合に極性を反転する構成となっている。
【００７４】
Ｄフリップフロップ３５は、参照指示信号ＬＳにおける第２パルスＰ２と第１パルスＰ１との立ち上がりに同期したタイミングで出力信号ＲＥＶ１Ｄを参照し、参照タイミングの直前における出力信号ＲＥＶ１Ｄの電圧レベルに従って電圧レベルを制御した出力信号ＲＥＶ２Ｄを出力する。従って、タイミングｔ1，ｔ2，ｔ4にて電圧レベルを変動させ、タイミングｔ3にて電圧レベルを維持した出力信号ＲＥＶ２Ｄを出力する。この結果、Ｄフリップフロップ３５の出力信号ＲＥＶ２Ｄは出力信号ＲＥＶ１Ｄに対して２水平走査期間−（ｔ3−ｔ1）だけ遅延させた信号となる。
【００７５】
以上の結果、高画質モードにおいて出力信号ＲＥＶ１Ｄと出力信号ＲＥＶ２Ｄは、２水平走査期間内において、タイミングｔ3とタイミングｔ1との間で電圧レベルが一致し、他のタイミングでは電圧レベルの異なる信号となる。従って、ＥＸＯＲ回路３６の出力は図３に示すようにタイミングｔ3とタイミングｔ1との間でローレベル、他のタイミングではハイレベルとなる信号を出力する。すなわち、ＥＸＯＲ回路３６の出力は、奇数番目の第３パルスが存在する水平ブランキング期間内でローレベルになる。
【００７６】
また、タイミングｔ3とタイミングｔ1との間には第２パルスＰ２が含まれるので、図３に示すように、ＥＸＯＲ回路３６の出力信号と参照指示信号ＬＳとのＡＮＤを行うＡＮＤ回路３７は、タイミングｔ3とタイミングｔ1との間にて参照指示信号ＬＳの第２パルスＰ２を遮断し、他のタイミングでは参照指示信号ＬＳを通過させる。従って、ＡＮＤ回路３７の出力においては、奇数番目の第３パルスに対応したタイミングでは第２パルスＰ２が遮断され、偶数番目の第３パルスに対応したタイミングでは第２パルスＰ２が通過し、総ての第１パルスＰ１が通過した信号波形となる。
【００７７】
高画質モードにおいてもデータドライバ３００は、図示しない回路によって、出力信号ＲＥＶ１Ｄが示す極性となるように電圧レベルを制御したアナログ信号ｄ（ｉ）を、デジタル画像信号ＤＡに基づいて生成し、チャージシェア制御信号Ｃｓｈが示すタイミングで上述のチャージシェアリングを行う。従って、データ信号Ｓ（ｉ）は図３に示すような波形となり、２回の水平ブランキング期間に１回の割合で極性が１回反転し、当該極性が１回反転する水平ブランキング期間と異なる水平ブランキング期間においては極性が２回反転し、かつ各極性の反転に際してチャージシェアリングがなされる。従って、データ信号Ｓ（ｉ）の極性は出力信号ＲＥＶ１Ｄによって制御され、当該出力信号ＲＥＶ１Ｄを生成する極性指示信号ＲＥＶおよび参照指示信号ＬＳは、請求項における極性反転信号に相当する。
【００７８】
なお、高画質モードにおいては、図３に示すように出力信号ＲＥＶ１Ｄおよびチャージシェア制御信号Ｃｓｈの信号波形が図７に示す信号波形と異なることから、そのデータ信号Ｓ（ｉ）も異なった信号波形となる。すなわち、チャージシェア制御信号ＣｓｈがＨレベルのときにチャージシェアリングがなされることにより、タイミングｔ3（省電力モードでのチャージシェアリングと同じタイミング）におけるチャージシェアリングに加えて、タイミングｔ2，ｔ4におけるチャージシェアリングも実施される。
【００７９】
従って、高画質モードにおいては、参照指示信号ＬＳに同期した選択信号によって走査ラインを選択することで、参照指示信号ＬＳの第１パルスに同期したいずれのタイミングであっても絵素電極の電圧を平均化することが可能である。そこで、高画質モードにおいて、ゲートドライバ４００にて走査ラインＧＬ１〜ＧＬｍを１書込期間毎に順次選択する選択パルスＰｗと、書込期間において走査ラインを選択してから所定期間が経過した後の水平ブランキング期間においてその走査ラインを選択する選択パルスＰｂとを生成し、走査ラインに印加することにより、走査ラインＧＬ１〜ＧＬｍの順次操作とインパルス駆動とを適正に機能させる。
【００８０】
すなわち、ゲートドライバ４００は、走査ラインＧＬｊ（ｊ＝１，２，…，ｍ）に対して図３に示す選択信号Ｇ（ｊ）を出力するように構成されており、選択パルスＰｗが印加されている走査ラインＧＬｊにおいては絵素形成部が選択状態となり、選択状態の走査ラインＧＬｊに接続されたＴＦＴ１０がオン状態となり、選択された走査ラインの絵素形成部に対してデータ信号Ｓ（ｉ）が印加される。一方、１フレーム期間（１Ｖ）内で選択パルスＰｗの立ち上がりから所定期間（例えば２／３Ｖ）経過後に、参照指示信号ＬＳに同期したタイミングで複数回連続して選択パルスＰｂを印加すると、総ての選択パルスＰｂに同期してＴＦＴ１０がオン状態となり、選択された走査ラインの絵素形成部における絵素電極の電圧が平均化される。従って、総ての選択パルスＰｂの発生タイミングでチャージシェアリングが行われ、適正なインパルス駆動を実施することができる。例えば、図３に示すＬ（ｉ，ｊ）のように、ＴＦＴ１０の電圧は徐々に低下してやがて黒電圧レベルとなる。
【００８１】
以上のように、本実施形態においては、連続した２回の書込期間においてデータ信号Ｓ（ｉ）の極性を維持する構成としながらも、水平ブランキング期間において強制的に極性を２回反転させるように表示制御回路２００が出力するパルス幅を調整した。従って、データ信号Ｓ（ｉ）の極性が反転しないときにはチャージシェアリングを行わず、データ信号Ｓ（ｉ）の極性が反転するタイミングでのみチャージシェアリングを行う仕様であってもチャージシェアリングによるインパルス駆動を適正に機能させることができる。
【００８２】
また、以上のパルス幅調整はメモリ２００ａに記録されたパルス幅指示データによって実施可能であり、リモコン２１０によって当該パルス幅指示データにて参照すべきデータを容易に切り替えることが可能である。従って、リモコン２１０におけるボタンの押込操作という極めて簡易な操作によって省電力モードと高画質モードとを切り替えることが可能である。
【００８３】
＜実施形態２＞
以上の実施形態は本発明を実施するための一例であり、データ信号Ｓ（ｉ）の極性が反転するタイミングでのみチャージシェアリングを行うタイミング制御部３２０を使用しながら、２回の書込期間に１回の割合でデータ信号の極性を反転させる駆動とインパルス駆動との双方を実施することができる限りにおいて、他にも種々の実施形態を採用可能である。例えば、上述の実施形態においては、メモリ２００ａに記録されているパルス幅指示データに関して参照すべきデータをリモコン２１０によって切り替えるように構成しているが、リモコン２１０以外の手段によって切り替えるように構成してもよい。
【００８４】
例えば、メモリ２００ａをＥＰＲＯＭにて構成し、液晶表示装置の出荷段階で、参照すべきパルス幅指示データを設定するように構成することで、同じ液晶表示装置において省電力仕様と高画質仕様とを切り替えることが可能になる。むろん、メモリ２００ａに記録するパルス幅指示データを省電力仕様と高画質仕様とのいずれか一方に設定し、いずれか一方の仕様で駆動するように設定を行う構成としてもよい。
【００８５】
＜実施形態３＞
さらに、上述の実施形態においては、複数のデータラインを短絡することによってチャージシェアリングを行っていたが、チャージシェアリングがなされているときの電圧レベルを安定化させるため、チャージシェアリング時に複数のデータラインに接続される電源を設けても良い。
【００８６】
＜実施形態４＞
上述の例においては２回の書込期間に１回の割合でデータ信号の極性を反転させる駆動方式であったが、極性の反転周期は２水平走査期間以上であればよい。例えば、書込期間におけるデータ信号の極性を３水平走査期間に１回の割合で反転させる構成において本発明を実施することも可能である。この場合、極性指示信号ＲＥＶの極性を３水平走査期間に１回の割合で変化させる（エッジＥにおいて３回の水平走査期間に１回の割合で極性を変化させる）構成としつつ、図２に示すパルス幅指示データに応じた電圧レベルを発生させれば、極性反転信号は図４のようになり、総ての選択パルスＰｂに対応してチャージシェアリングを実施することが可能になる。
【００８７】
すなわち、図４に示す極性指示信号ＲＥＶと参照指示信号ＬＳとをタイミング制御部３２０に入力すると、Ｄフリップフロップ３４においては、３水平走査期間の最初のタイミングにおいて第２パルスＰ２の立ち上がり（タイミングｔ1）による極性反転を行わず、その後の第１パルスＰ１および第２パルスＰ２の立ち上がりタイミングによって極性を変動した出力信号ＲＥＶ１Ｄを出力する。一方、Ｄフリップフロップ３５は、３水平走査期間の最初のタイミングにおいて第２パルスＰ２の立ち上がり（タイミングｔ1）による極性反転を行い、その後の第１パルスＰ１の立ち上がり（タイミングｔ3）による極性反転を行わず、さらにその後の第１パルスＰ１および第２パルスＰ２の立ち上がりタイミングによって極性を変動した出力信号ＲＥＶ２Ｄを出力する。
【００８８】
従って、この例においても出力信号ＲＥＶ１Ｄと出力信号ＲＥＶ２Ｄとは、タイミングｔ3とタイミングｔ1との間で電圧レベルが一致し、他のタイミングでは電圧レベルの異なる信号となる。このため、ＥＸＯＲ回路３６の出力は図４に示すようにタイミングｔ3とタイミングｔ1との間でローレベル、他のタイミングではハイレベルとなる信号を出力する。この結果、ＡＮＤ回路３７からは、３水平走査期間の最初のタイミングで第２パルスＰ２を遮断し、第１パルスＰ１を通過させ、他のタイミングでは第２パルスＰ２と第１パルスＰ１とを通過させた信号をチャージシェア制御信号Ｃｓｈとして出力する。
【００８９】
この結果、データ信号Ｓ（ｉ）においては、総ての水平走査期間の水平ブランキング期間でチャージシェアリングを実施可能になり、連続して発生される選択パルスＰｂの総てにおいてチャージシェアリングを実施することができ、適正なインパルス駆動を行うことができる。以上のように、極性反転のタイミングは２水平走査期間毎に限らず、それ以上の周期であっても良い。むろん、ｎ個の走査ライン毎に極性を反転する構成ではなく１フレーム毎に極性を反転させても良い。
【００９０】
＜実施形態５＞
さらに、高画質モードにおいては、複数の書込期間でデータ信号Ｓ（ｉ）の極性を維持し、水平ブランキング期間においてデータ信号Ｓ（ｉ）の極性を反転させてチャージシェアリングを実施することができればよく、このための極性指示信号ＲＥＶと参照指示信号ＬＳとの信号波形は図３に示す信号波形に限定されない。
【００９１】
例えば、２回連続する書込期間においてデータ信号Ｓ（ｉ）の極性を維持し、これらの書込期間の間の水平ブランキング期間においてのみ第２パルスＰ２と第３パルスＰ３とを発生させる構成を採用してもよい。このためには、例えば、表示制御回路２００において２水平走査期間にわたってクロック信号ＣＬＫをカウントし、図５に示すようなタイミングで第３パルスＰ３と第１パルスＰ１と第２パルスＰ２とを発生させるようにパルス幅指示データを定義してメモリ２００ａに記録しておけばよい。
【００９２】
この構成によって図５に示す極性指示信号ＲＥＶと参照指示信号ＬＳとを発生させ、タイミング制御部３２０に入力すると、Ｄフリップフロップ３４においては、２水平走査期間に１回の割合で第１パルスＰ１の立ち上がり（図５に示すＥ1）に応じて極性を変化させるとともに、その間の第２パルスＰ２および第１パルスＰ１の立ち上がり（図５に示すＥ2，Ｅ3）に応じて極性を２回変化させた出力信号ＲＥＶ１Ｄを出力する。また、Ｄフリップフロップ３５においては、出力信号ＲＥＶ１Ｄを反転させた出力信号ＲＥＶ２Ｄを出力する。
【００９３】
この結果、ＥＸＯＲ回路３６においては、常にハイレベルとなる信号を出力し、ＡＮＤ回路３７においては、参照指示信号ＬＳの総てを通過させてチャージシェア制御信号Ｃｓｈとする。このチャージシェア制御信号Ｃｓｈは、２水平走査期間の最初の水平ブランキング期間において第１パルスＰ１、その次の水平ブランキング期間において第２パルスＰ２および第１パルスＰ１によって構成されるため、データ信号Ｓ（ｉ）においては、２回の水平ブランキング期間に１回の割合で極性が反転するとともにチャージシェアリングが実施され、この極性反転の間の水平ブランキング期間（図５に示すＴB）では極性が２回反転するととともにチャージシェアリングが実施される。従って、総ての水平走査期間の水平ブランキング期間でチャージシェアリングを実施可能になり、図５に示すように、連続して発生される選択パルスＰｂの総てにおいてチャージシェアリングを実施することができ、適正なインパルス駆動を行うことができる。
【００９４】
＜実施形態６＞
さらに、本発明においては、タイミング制御部３２０回路の回路構成も図６に示す構成に限定されず、データ信号Ｓ（ｉ）における書込期間の極性を示す極性指示信号ＲＥＶとその参照タイミングを示す参照指示信号ＬＳとによってデータ信号Ｓ（ｉ）の極性を決定し、当該データ信号Ｓ（ｉ）の極性が反転する際にチャージシェアリングを行うように構成された回路であれば、他にも種々の回路を採用可能であり、このような回路に本発明を適用することが可能である。
【図面の簡単な説明】
【００９５】
【図１】液晶表示装置のブロック図である。
【図２】表示制御回路の構成を示す図である。
【図３】各種信号のタイミングチャートである。
【図４】各種信号のタイミングチャートである。
【図５】各種信号のタイミングチャートである。
【図６】データドライバの構成を示す図である。
【図７】各種信号のタイミングチャートである。
【図８】各種信号のタイミングチャートである。
【符号の説明】
【００９６】
３１…出カバッファ、３３…インバータ、３４，３５…Ｄフリップフロップ、３６…ＥＸＯＲ回路、３７…ＡＮＤ回路、１００…表示部、２００…表示制御回路、２００ａ…メモリ、２１０…リモコン、３００…データドライバ、３１０…チャージシェアリング部、３２０…タイミング制御部、４００…ゲートドライバ
【図１】
2011141303.tif 000003
【図２】
2011141303.tif 000004
【図３】
2011141303.tif 000005
【図４】
2011141303.tif 000006
【図５】
2011141303.tif 000007
【図６】
2011141303.tif 000008
【図７】
2011141303.tif 000009
【図８】
2011141303.tif 000010